(57)【特許請求の範囲】
【請求項１】
画像の出力の条件の項目であるモードの設定を受け付けるモード受付手段と、
前記モード受付手段にて設定を受け付けたモードに基づいて、出力する画像である出力画像をプレビュー表示する際の解像度を決定する解像度決定手段と、
前記出力画像のプレビュー画像を、前記解像度決定手段にて決定した解像度で作成するプレビュー画像作成手段とを備えた、画像処理装置。
【請求項２】
前記モード受付手段にて設定を受け付けたモードに基づいて、スキャンによって得られた前記画像に処理を施すことにより、前記出力画像を作成する出力画像作成手段をさらに備えた、請求項１に記載の画像処理装置。
【請求項３】
前記出力画像の種類を判断する画像種類判断手段をさらに備え、
前記解像度決定手段は、前記画像種類判断手段にて判断した種類と、前記モード受付手段にて設定を受け付けたモードとに基づいて解像度を決定する、請求項１または２に記載の画像処理装置。
【請求項４】
前記画像種類判断手段は、少なくとも文字原稿中心画像、写真画像、細線を含む画像、グラデーション画像、および薄文字写真画像の中から、前記出力画像の種類を判断する、請求項３に記載の画像処理装置。
【請求項５】
画像の出力に関するモードの設定を受け付けるモード受付手段と、
前記モード受付手段にて設定を受け付けたモードに基づいて、出力する画像である出力画像をプレビュー表示する際の解像度を決定する解像度決定手段と、
前記出力画像のプレビュー画像を、前記解像度決定手段にて決定した解像度で作成するプレビュー画像作成手段と、
前記出力画像の種類を判断する画像種類判断手段とを備え、
前記解像度決定手段は、前記画像種類判断手段にて判断した種類と、前記モード受付手段にて設定を受け付けたモードとに基づいて解像度を決定し、
前記解像度決定手段は、
前記モード受付手段にて設定を受け付けたモードが前記画像の画質に及ぼす影響を判断する影響判断手段と、
前記影響判断手段にて前記画像の画質に影響を及ぼすと判断した場合の解像度を、前記出力画像の解像度と同じ解像度である高解像度に決定する高解像度決定手段とを含む、画像処理装置。
【請求項６】
前記高解像度決定手段は、前記画像種類判断手段が前記出力画像の種類を、写真画像、細線を含む画像、またはグラデーション画像であると判断した場合において、前記モード受付手段にて設定を受け付けたモードがウォーターマークを付加するモードであるときは、解像度を高解像度に決定する、請求項５に記載の画像処理装置。
【請求項７】
前記高解像度決定手段は、前記画像種類判断手段が前記出力画像の種類を、細線を含む画像であると判断した場合において、前記モード受付手段にて設定を受け付けたモードが、画像濃度を標準よりも薄くするモードであるときは、解像度を高解像度に決定する、請求項５または６に記載の画像処理装置。
【請求項８】
前記解像度決定手段は、
前記影響判断手段にて前記画像の画質に影響を及ぼさないと判断した場合の解像度を、前記高解像度決定手段にて決定する解像度よりも低い解像度である低解像度に決定する低解像度決定手段をさらに含む、請求項５〜７のいずれかに記載の画像処理装置。
【請求項９】
前記低解像度決定手段は、前記画像種類判断手段が前記出力画像の種類を、細線を含む画像でないと判断した場合において、前記モード受付手段にて設定を受け付けたモードが、複数ページの画像を１つの画像に集約するモードであるときは、解像度を低解像度に決定する、請求項８に記載の画像処理装置。
【請求項１０】
前記低解像度決定手段は、前記モード受付手段にて設定を受け付けたモードが、両面印刷のモードであるときは、解像度を低解像度に決定する、請求項８または９に記載の画像処理装置。
【請求項１１】
前記解像度決定手段は、
前記影響判断手段にて前記画像の一部が欠落すると判断した場合の解像度を、前記高解像度決定手段にて決定する解像度と前記低解像度決定手段にて決定する解像度との間の解像度である中解像度に決定する中解像度決定手段をさらに含む、請求項８〜１０のいずれかに記載の画像処理装置。
【請求項１２】
前記中解像度決定手段は、前記モード受付手段にて設定を受け付けたモードが、ステイプルおよびパンチ穴のうち少なくとも一つを付加するモードである場合において、前記画像におけるステイプルまたはパンチが付加される位置が背景色でないときは、解像度を中解像度に決定する、請求項１１に記載の画像処理装置。
【請求項１３】
前記中解像度決定手段は、前記モード受付手段にて設定を受け付けたモードが、スタンプを付加するモードである場合において、前記画像におけるスタンプが付加される位置が背景色でないときは、解像度を中解像度に決定する、請求項１１または１２に記載の画像処理装置。
【請求項１４】
画像の出力に関するモードの設定を受け付けるモード受付手段と、
前記モード受付手段にて設定を受け付けたモードに基づいて、出力する画像である出力画像をプレビュー表示する際の解像度を決定する解像度決定手段と、
前記出力画像のプレビュー画像を、前記解像度決定手段にて決定した解像度で作成するプレビュー画像作成手段と、
前記出力画像の種類を判断する画像種類判断手段とを備え、
前記解像度決定手段は、前記画像種類判断手段にて判断した種類と、前記モード受付手段にて設定を受け付けたモードとに基づいて解像度を決定し、
前記画像種類判断手段が前記出力画像の種類を、細線を含む画像であると判断した場合において、前記モード受付手段にて設定を受け付けたモードが、複数ページの画像を１つの画像に集約するモードであるときは、前記解像度決定手段は解像度を中解像度と決定する、画像処理装置。
【請求項１５】
画像の出力に関するモードの設定を受け付けるモード受付手段と、
前記モード受付手段にて設定を受け付けたモードに基づいて、出力する画像である出力画像をプレビュー表示する際の解像度を決定する解像度決定手段と、
前記出力画像のプレビュー画像を、前記解像度決定手段にて決定した解像度で作成するプレビュー画像作成手段と、
前記出力画像の種類を判断する画像種類判断手段とを備え、
前記解像度決定手段は、前記画像種類判断手段にて判断した種類と、前記モード受付手段にて設定を受け付けたモードとに基づいて解像度を決定し、
前記モード受付手段にて設定を受け付けたモードが、両面印刷のモードであるときは、前記解像度決定手段は解像度を低解像度と決定する、画像処理装置。
【請求項１６】
画像の出力に関するモードの設定を受け付けるモード受付手段と、
前記モード受付手段にて設定を受け付けたモードに基づいて、出力する画像である出力画像をプレビュー表示する際の解像度を決定する解像度決定手段と、
前記出力画像のプレビュー画像を、前記解像度決定手段にて決定した解像度で作成するプレビュー画像作成手段と、
前記出力画像の複数のページを一つの画面にプレビュー表示する指示を受け付ける複数ページ指示受付手段とを備え、
前記複数ページ指示受付手段にて指示を受け付けた場合に、前記解像度決定手段は、前記出力画像をプレビュー表示する際の解像度をページ毎に決定し、
前記プレビュー画像作成手段は、前記出力画像のプレビュー画像を、前記解像度決定手段がページ毎に決定した解像度で作成する、画像処理装置。
【請求項１７】
画像の出力に関するモードの設定を受け付けるモード受付手段と、
前記モード受付手段にて設定を受け付けたモードに基づいて、出力する画像である出力画像をプレビュー表示する際の解像度を決定する解像度決定手段と、
前記出力画像のプレビュー画像を、前記解像度決定手段にて決定した解像度で作成するプレビュー画像作成手段と、
前記プレビュー画像作成手段にて作成したプレビュー画像を表示する表示手段と、
前記表示手段にて表示したプレビュー画像に関するモードの変更を受け付けるモード変更受付手段と、
前記モード変更受付手段にて変更を受け付けたモードに基づいて、変更後の出力画像をプレビュー表示する際の解像度である変更後解像度を決定する変更後解像度決定手段と、
前記変更後解像度決定手段にて決定した変更後解像度が前記解像度決定手段にて決定した解像度よりも高い場合に、変更後の出力画像のプレビュー画像を、前記変更後解像度決定手段にて決定した変更後解像度で作成し、かつ前記変更後解像度決定手段にて決定した変更後解像度が前記解像度決定手段にて決定した解像度よりも低い場合に、前記変更後出力画像のプレビュー画像を作成しない、変更後プレビュー画像作成手段とを備えた、画像処理装置。
【請求項１８】
記憶手段をさらに備え、前記モードの設定の対象となる前記画像は前記記憶手段に記憶されている、請求項１〜１７のいずれかに記載の画像処理装置。
【請求項１９】
画像の出力の条件の項目であるモードの設定を受け付けるモード受付ステップと、
前記モード受付ステップにて設定を受け付けたモードに基づいて、出力する画像である出力画像をプレビュー表示する際の解像度を決定する解像度決定ステップと、
前記出力画像のプレビュー画像を、前記解像度決定ステップにて決定した解像度で作成するプレビュー画像作成ステップとを備えた、画像処理装置の制御方法。
【請求項２０】
画像の出力に関するモードの設定を受け付けるモード受付ステップと、
前記モード受付ステップにて設定を受け付けたモードに基づいて、出力する画像である出力画像をプレビュー表示する際の解像度を決定する解像度決定ステップと、
前記出力画像のプレビュー画像を、前記解像度決定ステップにて決定した解像度で作成するプレビュー画像作成ステップと、
前記出力画像の種類を判断する画像種類判断ステップとを備え、
前記解像度決定ステップにおいて、前記画像種類判断ステップにて判断した種類と、前記モード受付ステップにて設定を受け付けたモードとに基づいて解像度を決定し、
前記解像度決定ステップは、
前記モード受付ステップにて設定を受け付けたモードが前記画像の画質に及ぼす影響を判断する影響判断ステップと、
前記影響判断ステップにて前記画像の画質に影響を及ぼすと判断した場合の解像度を、前記出力画像の解像度と同じ解像度である高解像度に決定する高解像度決定ステップとを含む、画像処理装置の制御方法。
【請求項２１】
画像の出力に関するモードの設定を受け付けるモード受付ステップと、
前記モード受付ステップにて設定を受け付けたモードに基づいて、出力する画像である出力画像をプレビュー表示する際の解像度を決定する解像度決定ステップと、
前記出力画像のプレビュー画像を、前記解像度決定ステップにて決定した解像度で作成するプレビュー画像作成ステップと、
前記出力画像の種類を判断する画像種類判断ステップとを備え、
前記解像度決定ステップにおいて、前記画像種類判断ステップにて判断した種類と、前記モード受付ステップにて設定を受け付けたモードとに基づいて解像度を決定し、
前記画像種類判断ステップにおいて、前記出力画像の種類を、細線を含む画像であると判断した場合において、前記モード受付ステップにて設定を受け付けたモードが、複数ページの画像を１つの画像に集約するモードであるときは、前記解像度決定ステップにおいて解像度を中解像度と決定する、画像処理装置の制御方法。
【請求項２２】
画像の出力に関するモードの設定を受け付けるモード受付ステップと、
前記モード受付ステップにて設定を受け付けたモードに基づいて、出力する画像である出力画像をプレビュー表示する際の解像度を決定する解像度決定ステップと、
前記出力画像のプレビュー画像を、前記解像度決定ステップにて決定した解像度で作成するプレビュー画像作成ステップと、
前記出力画像の種類を判断する画像種類判断ステップとを備え、
前記解像度決定ステップにおいて、前記画像種類判断ステップにて判断した種類と、前記モード受付ステップにて設定を受け付けたモードとに基づいて解像度を決定し、
前記モード受付ステップにて設定を受け付けたモードが、両面印刷のモードであるときは、前記解像度決定ステップにおいて解像度を低解像度と決定する、画像処理装置の制御方法。
【請求項２３】
画像の出力に関するモードの設定を受け付けるモード受付ステップと、
前記モード受付ステップにて設定を受け付けたモードに基づいて、出力する画像である出力画像をプレビュー表示する際の解像度を決定する解像度決定ステップと、
前記出力画像のプレビュー画像を、前記解像度決定ステップにて決定した解像度で作成するプレビュー画像作成ステップと、
前記出力画像の複数のページを一つの画面にプレビュー表示する指示を受け付ける複数ページ指示受付ステップとを備え、
前記複数ページ指示受付ステップにて指示を受け付けた場合に、前記解像度決定ステップにおいて、前記出力画像をプレビュー表示する際の解像度をページ毎に決定し、
前記プレビュー画像作成ステップにおいて、前記出力画像のプレビュー画像を、前記解像度決定ステップにおいてページ毎に決定した解像度で作成する、画像処理装置の制御方法。
【請求項２４】
画像の出力に関するモードの設定を受け付けるモード受付ステップと、
前記モード受付ステップにて設定を受け付けたモードに基づいて、出力する画像である出力画像をプレビュー表示する際の解像度を決定する解像度決定ステップと、
前記出力画像のプレビュー画像を、前記解像度決定ステップにて決定した解像度で作成するプレビュー画像作成ステップと、
前記プレビュー画像作成ステップにて作成したプレビュー画像を表示する表示ステップと、
前記表示ステップにて表示したプレビュー画像に関するモードの変更を受け付けるモード変更受付ステップと、
前記モード変更受付ステップにて変更を受け付けたモードに基づいて、変更後の出力画像をプレビュー表示する際の解像度である変更後解像度を決定する変更後解像度決定ステップと、
前記変更後解像度決定ステップにて決定した変更後解像度が前記解像度決定ステップにて決定した解像度よりも高い場合に、変更後の出力画像のプレビュー画像を、前記変更後解像度決定ステップにて決定した変更後解像度で作成し、かつ前記変更後解像度決定ステップにて決定した変更後解像度が前記解像度決定ステップにて決定した解像度よりも低い場合に、前記変更後出力画像のプレビュー画像を作成しない、変更後プレビュー画像作成ステップとを備えた、画像処理装置の制御方法。
【請求項２５】
請求項１９〜２４のいずれかに記載の画像処理装置の制御方法をコンピューターに実行させるための、画像処理装置の制御プログラム。
【発明の詳細な説明】
【技術分野】
【０００１】
本発明は画像処理装置、画像処理装置の制御方法、および画像処理装置の制御プログラムに関し、より特定的には、出力画像のプレビュー画像を作成する画像処理装置、画像処理装置の制御方法、および画像処理装置の制御プログラムに関する。
【背景技術】
【０００２】
画像形成装置には、画像を用紙に印刷した場合の仕上がり状態を示す画像を画像形成装置や操作端末の表示部に表示する機能である、仕上がりプレビュー機能を有するものがある。仕上がりプレビュー機能を有する従来の画像形成装置は、コピーを実行する場合、スキャナーで生成したスキャン画像を、設定されたモードに基づいて修正することにより、プリント画像のデータ（ローデータ）を作成する。そして画像形成装置は、そのプリント画像を表示部の大きさに合わせたサイズに圧縮することにより、仕上がり状態を示す画像（仕上がりプレビュー画像）を作成する。
【０００３】
また、仕上がりプレビュー機能を利用した場合、ユーザーは、仕上がり状態を表示部で確認した後にある程度のモード変更が可能になる。変更可能なモードには、たとえば両面印刷、集約、またはスタンプ付加などが該当する。画像形成装置がフィニッシャーを搭載している場合には、変更可能なモードには、ステイプルまたはパンチなどが該当する。これらのモード変更が行われた場合、画像形成装置は、変更後のモードに基づいてプリント画像のローデータを再作成し、仕上がりプレビュー画像を再作成し、再作成した仕上がりプレビュー画像を表示部に表示する。
【０００４】
なお、種々の状況に応じて画像の解像度を変更する技術が、たとえば下記特許文献１および２などに開示されている。下記特許文献１には、画像データの画質を指定することで送信モードに応じた適当な解像度を設定することができる画像送信装置が開示されている。この画像送信装置は、画像データを送信する送信モードを複数種類の送信方式から設定する送信先・送信モード設定部と、送信する画像データの画質を設定する画質設定部と、送信先・送信モード設定部で設定された送信方式に適した範囲の解像度から、画質設定部で設定された画質に対応する解像度を解像度設定テーブルを参照して選択する解像度設定部と、解像度設定部で設定された解像度に基づいて、送信先・送信モード設定部で設定された送信方式に適した形態に画像データを加工する画像加工部とを備えている。
【０００５】
下記特許文献２には、システム本体と、ユーザー端末と、システム本体およびユーザー端末を接続する通信手段とを備えた画像処理システムが開示されている。システム本体は、本画像から低解像度画像を生成する生成手段と、画像データの記憶手段と、画像処理前後の低解像度画像から画像処理条件を設定する設定手段と、この画像処理条件に応じて本画像に画像処理を施す高解像度画像処理手段とを有している。ユーザー端末は、通信手段を用いて低解像度画像を取得して、この低解像度画像に画像処理を施した後に通信手段によってシステム本体に送り、システム本体は、画像処理前後の低解像度画像から画像処理条件を設定し、対応する本画像に画像処理を施す。
【先行技術文献】
【特許文献】
【０００６】
【特許文献１】特開２００２−３３５３８６号公報
【特許文献２】特開２００３−１８７２５８号公報
【発明の概要】
【発明が解決しようとする課題】
【０００７】
しかしながら、従来の画像形成装置には、仕上がりプレビュー画像の表示に時間を要するため、操作性が悪いという問題があった。
【０００８】
従来の画像形成装置は、上述のように、実際にプリントを行う画像であるプリント画像を圧縮することにより、仕上がりプレビュー画像を作成する。プリント画像のデータは高解像度でありサイズが大きいので、仕上がりプレビュー画像を作成（描画）したり、表示部に表示（展開）したりするのに時間を要していた。このためユーザーは、画像を用紙に印刷した場合の仕上がり状態を確認するのに時間を要していた。
【０００９】
また、画像形成装置のリソースを用いて操作端末の表示部に仕上がりプレビュー画像を表示する場合には、画像形成装置と操作端末との間でローデータを送受信する必要があり、通信に時間を要するため、仕上がりプレビュー画像を表示するのに時間を要していた。
【００１０】
本発明は、上記課題を解決するものであり、その目的は、操作性を向上することのできる画像処理装置、画像処理装置の制御方法、および画像処理装置の制御プログラムを提供することである。
【課題を解決するための手段】
【００１１】
本発明の一の局面に従う画像処理装置は、画像の出力の条件の項目であるモードの設定を受け付けるモード受付手段と、モード受付手段にて設定を受け付けたモードに基づいて、出力する画像である出力画像をプレビュー表示する際の解像度を決定する解像度決定手段と、出力画像のプレビュー画像を、解像度決定手段にて決定した解像度で作成するプレビュー画像作成手段とを備える。
【００１２】
上記画像処理装置において好ましくは、モード受付手段にて設定を受け付けたモードに基づいて、スキャンによって得られた画像に処理を施すことにより、出力画像を作成する出力画像作成手段をさらに備える。
【００１３】
上記画像処理装置において好ましくは、出力画像の種類を判断する画像種類判断手段をさらに備え、解像度決定手段は、画像種類判断手段にて判断した種類と、モード受付手段にて設定を受け付けたモードとに基づいて解像度を決定する。
【００１４】
上記画像処理装置において好ましくは、画像種類判断手段は、少なくとも文字原稿中心画像、写真画像、細線を含む画像、グラデーション画像、および薄文字写真画像の中から、出力画像の種類を判断する。
【００１５】
本発明の他の局面に従う画像処理装置は、画像の出力に関するモードの設定を受け付けるモード受付手段と、モード受付手段にて設定を受け付けたモードに基づいて、出力する画像である出力画像をプレビュー表示する際の解像度を決定する解像度決定手段と、出力画像のプレビュー画像を、解像度決定手段にて決定した解像度で作成するプレビュー画像作成手段と、出力画像の種類を判断する画像種類判断手段とを備え、解像度決定手段は、画像種類判断手段にて判断した種類と、モード受付手段にて設定を受け付けたモードとに基づいて解像度を決定し、解像度決定手段は、モード受付手段にて設定を受け付けたモードが画像の画質に及ぼす影響を判断する影響判断手段と、影響判断手段にて画像の画質に影響を及ぼすと判断した場合の解像度を、出力画像の解像度と同じ解像度である高解像度に決定する高解像度決定手段とを含む。
【００１６】
上記画像処理装置において好ましくは、高解像度決定手段は、画像種類判断手段が出力画像の種類を、写真画像、細線を含む画像、またはグラデーション画像であると判断した場合において、モード受付手段にて設定を受け付けたモードがウォーターマークを付加するモードであるときは、解像度を高解像度に決定する。
【００１７】
上記画像処理装置において好ましくは、高解像度決定手段は、画像種類判断手段が出力画像の種類を、細線を含む画像であると判断した場合において、モード受付手段にて設定を受け付けたモードが、画像濃度を標準よりも薄くするモードであるときは、解像度を高解像度に決定する。
【００１８】
上記画像処理装置において好ましくは、解像度決定手段は、影響判断手段にて画像の画質に影響を及ぼさないと判断した場合の解像度を、高解像度決定手段にて決定する解像度よりも低い解像度である低解像度に決定する低解像度決定手段をさらに含む。
【００１９】
上記画像処理装置において好ましくは、低解像度決定手段は、画像種類判断手段が出力画像の種類を、細線を含む画像でないと判断した場合において、モード受付手段にて設定を受け付けたモードが、複数ページの画像を１つの画像に集約するモードであるときは、解像度を低解像度に決定する。
【００２０】
上記画像処理装置において好ましくは、低解像度決定手段は、モード受付手段にて設定を受け付けたモードが、両面印刷のモードであるときは、解像度を低解像度に決定する。
【００２１】
上記画像処理装置において好ましくは、解像度決定手段は、影響判断手段にて画像の一部が欠落すると判断した場合の解像度を、高解像度決定手段にて決定する解像度と低解像度決定手段にて決定する解像度との間の解像度である中解像度に決定する中解像度決定手段をさらに含む。
【００２２】
上記画像処理装置において好ましくは、中解像度決定手段は、モード受付手段にて設定を受け付けたモードが、ステイプルおよびパンチ穴のうち少なくとも一つを付加するモードである場合において、画像におけるステイプルまたはパンチが付加される位置が背景色でないときは、解像度を中解像度に決定する。
【００２３】
上記画像処理装置において好ましくは、中解像度決定手段は、モード受付手段にて設定を受け付けたモードが、スタンプを付加するモードである場合において、画像におけるスタンプが付加される位置が背景色でないときは、解像度を中解像度に決定する。
【００２４】
本発明のさらに他の局面に従う画像処理装置は、画像の出力に関するモードの設定を受け付けるモード受付手段と、モード受付手段にて設定を受け付けたモードに基づいて、出力する画像である出力画像をプレビュー表示する際の解像度を決定する解像度決定手段と、出力画像のプレビュー画像を、解像度決定手段にて決定した解像度で作成するプレビュー画像作成手段と、出力画像の種類を判断する画像種類判断手段とを備え、解像度決定手段は、画像種類判断手段にて判断した種類と、モード受付手段にて設定を受け付けたモードとに基づいて解像度を決定し、画像種類判断手段が出力画像の種類を、細線を含む画像であると判断した場合において、モード受付手段にて設定を受け付けたモードが、複数ページの画像を１つの画像に集約するモードであるときは、解像度決定手段は解像度を中解像度と決定する。
【００２５】
本発明のさらに他の局面に従う画像処理装置は、画像の出力に関するモードの設定を受け付けるモード受付手段と、モード受付手段にて設定を受け付けたモードに基づいて、出力する画像である出力画像をプレビュー表示する際の解像度を決定する解像度決定手段と、出力画像のプレビュー画像を、解像度決定手段にて決定した解像度で作成するプレビュー画像作成手段と、出力画像の種類を判断する画像種類判断手段とを備え、解像度決定手段は、画像種類判断手段にて判断した種類と、モード受付手段にて設定を受け付けたモードとに基づいて解像度を決定し、モード受付手段にて設定を受け付けたモードが、両面印刷のモードであるときは、解像度決定手段は解像度を低解像度と決定する。
【００２６】
本発明のさらに他の局面に従う画像処理装置は、画像の出力に関するモードの設定を受け付けるモード受付手段と、モード受付手段にて設定を受け付けたモードに基づいて、出力する画像である出力画像をプレビュー表示する際の解像度を決定する解像度決定手段と、出力画像のプレビュー画像を、解像度決定手段にて決定した解像度で作成するプレビュー画像作成手段と、出力画像の複数のページを一つの画面にプレビュー表示する指示を受け付ける複数ページ指示受付手段とを備え、複数ページ指示受付手段にて指示を受け付けた場合に、解像度決定手段は、出力画像をプレビュー表示する際の解像度をページ毎に決定し、プレビュー画像作成手段は、出力画像のプレビュー画像を、解像度決定手段がページ毎に決定した解像度で作成する。
【００２７】
本発明のさらに他の局面に従う画像処理装置は、画像の出力に関するモードの設定を受け付けるモード受付手段と、モード受付手段にて設定を受け付けたモードに基づいて、出力する画像である出力画像をプレビュー表示する際の解像度を決定する解像度決定手段と、出力画像のプレビュー画像を、解像度決定手段にて決定した解像度で作成するプレビュー画像作成手段と、プレビュー画像作成手段にて作成したプレビュー画像を表示する表示手段と、表示手段にて表示したプレビュー画像に関するモードの変更を受け付けるモード変更受付手段と、モード変更受付手段にて変更を受け付けたモードに基づいて、変更後の出力画像をプレビュー表示する際の解像度である変更後解像度を決定する変更後解像度決定手段と、変更後解像度決定手段にて決定した変更後解像度が解像度決定手段にて決定した解像度よりも高い場合に、変更後の出力画像のプレビュー画像を、変更後解像度決定手段にて決定した変更後解像度で作成し、かつ変更後解像度決定手段にて決定した変更後解像度が解像度決定手段にて決定した解像度よりも低い場合に、変更後出力画像のプレビュー画像を作成しない、変更後プレビュー画像作成手段とを備える。
上記画像処理装置において好ましくは、記憶手段をさらに備え、モードの設定の対象となる画像は記憶手段に記憶されている。
【００２８】
本発明のさらに他の局面に従う画像処理装置の制御方法は、画像の出力の条件の項目であるモードの設定を受け付けるモード受付ステップと、モード受付ステップにて設定を受け付けたモードに基づいて、出力する画像である出力画像をプレビュー表示する際の解像度を決定する解像度決定ステップと、出力画像のプレビュー画像を、解像度決定ステップにて決定した解像度で作成するプレビュー画像作成ステップとを備える。
本発明のさらに他の局面に従う画像処理装置の制御方法は、画像の出力に関するモードの設定を受け付けるモード受付ステップと、モード受付ステップにて設定を受け付けたモードに基づいて、出力する画像である出力画像をプレビュー表示する際の解像度を決定する解像度決定ステップと、出力画像のプレビュー画像を、解像度決定ステップにて決定した解像度で作成するプレビュー画像作成ステップと、出力画像の種類を判断する画像種類判断ステップとを備え、解像度決定ステップにおいて、画像種類判断ステップにて判断した種類と、モード受付ステップにて設定を受け付けたモードとに基づいて解像度を決定し、解像度決定ステップは、モード受付ステップにて設定を受け付けたモードが画像の画質に及ぼす影響を判断する影響判断ステップと、影響判断ステップにて画像の画質に影響を及ぼすと判断した場合の解像度を、出力画像の解像度と同じ解像度である高解像度に決定する高解像度決定ステップとを含む。
本発明のさらに他の局面に従う画像処理装置の制御方法は、画像の出力に関するモードの設定を受け付けるモード受付ステップと、モード受付ステップにて設定を受け付けたモードに基づいて、出力する画像である出力画像をプレビュー表示する際の解像度を決定する解像度決定ステップと、出力画像のプレビュー画像を、解像度決定ステップにて決定した解像度で作成するプレビュー画像作成ステップと、出力画像の種類を判断する画像種類判断ステップとを備え、解像度決定ステップにおいて、画像種類判断ステップにて判断した種類と、モード受付ステップにて設定を受け付けたモードとに基づいて解像度を決定し、画像種類判断ステップにおいて、出力画像の種類を、細線を含む画像であると判断した場合において、モード受付ステップにて設定を受け付けたモードが、複数ページの画像を１つの画像に集約するモードであるときは、解像度決定ステップにおいて解像度を中解像度と決定する。
本発明のさらに他の局面に従う画像処理装置の制御方法は、画像の出力に関するモードの設定を受け付けるモード受付ステップと、モード受付ステップにて設定を受け付けたモードに基づいて、出力する画像である出力画像をプレビュー表示する際の解像度を決定する解像度決定ステップと、出力画像のプレビュー画像を、解像度決定ステップにて決定した解像度で作成するプレビュー画像作成ステップと、出力画像の種類を判断する画像種類判断ステップとを備え、解像度決定ステップにおいて、画像種類判断ステップにて判断した種類と、モード受付ステップにて設定を受け付けたモードとに基づいて解像度を決定し、モード受付ステップにて設定を受け付けたモードが、両面印刷のモードであるときは、解像度決定ステップにおいて解像度を低解像度と決定する。
本発明のさらに他の局面に従う画像処理装置の制御方法は、画像の出力に関するモードの設定を受け付けるモード受付ステップと、モード受付ステップにて設定を受け付けたモードに基づいて、出力する画像である出力画像をプレビュー表示する際の解像度を決定する解像度決定ステップと、出力画像のプレビュー画像を、解像度決定ステップにて決定した解像度で作成するプレビュー画像作成ステップと、出力画像の複数のページを一つの画面にプレビュー表示する指示を受け付ける複数ページ指示受付ステップとを備え、複数ページ指示受付ステップにて指示を受け付けた場合に、解像度決定ステップにおいて、出力画像をプレビュー表示する際の解像度をページ毎に決定し、プレビュー画像作成ステップにおいて、出力画像のプレビュー画像を、解像度決定ステップにおいてページ毎に決定した解像度で作成する。
本発明のさらに他の局面に従う画像処理装置の制御方法は、画像の出力に関するモードの設定を受け付けるモード受付ステップと、モード受付ステップにて設定を受け付けたモードに基づいて、出力する画像である出力画像をプレビュー表示する際の解像度を決定する解像度決定ステップと、出力画像のプレビュー画像を、解像度決定ステップにて決定した解像度で作成するプレビュー画像作成ステップと、プレビュー画像作成ステップにて作成したプレビュー画像を表示する表示ステップと、表示ステップにて表示したプレビュー画像に関するモードの変更を受け付けるモード変更受付ステップと、モード変更受付ステップにて変更を受け付けたモードに基づいて、変更後の出力画像をプレビュー表示する際の解像度である変更後解像度を決定する変更後解像度決定ステップと、変更後解像度決定ステップにて決定した変更後解像度が解像度決定ステップにて決定した解像度よりも高い場合に、変更後の出力画像のプレビュー画像を、変更後解像度決定ステップにて決定した変更後解像度で作成し、かつ変更後解像度決定ステップにて決定した変更後解像度が解像度決定ステップにて決定した解像度よりも低い場合に、変更後出力画像のプレビュー画像を作成しない、変更後プレビュー画像作成ステップとを備える。
【００２９】
本発明のさらに他の局面に従う画像処理装置の制御プログラムは、上記の画像処理装置の制御方法をコンピューターに実行させるためのものである。
【発明の効果】
【００３０】
本発明によれば、操作性を向上することのできる画像処理装置、画像処理装置の制御方法、および画像処理装置の制御プログラムを提供することができる。
【図面の簡単な説明】
【００３１】
【図１】本発明の第１の実施の形態におけるＭＦＰ１００の構成を概念的に示す図である。
【図２】ＭＦＰ１００の内部構成を示すブロック図である。
【図３】仕上がりプレビュー機能が有効な状態でコピー指示を受け付けた場合のＭＦＰ１００の動作を示すシーケンス図である。
【図４】本発明の第１の実施の形態におけるＭＦＰ１００の動作を示すフローチャートである。
【図５】本発明の第１の実施の形態におけるプリント画像の種類の判断処理のサブルーチンである。
【図６】本発明の第１の実施の形態における解像度の決定処理で使用する解像度決定テーブルを模式的に示す図である。
【図７】本発明の第１の実施の形態における仕上がりプレビュー画像の形成処理のサブルーチンである。
【図８】本発明の第１の変形例における解像度の決定処理のサブルーチンである。
【図９】本発明の第１の変形例における第１の解像度の決定処理のサブルーチンである。
【図１０】本発明の第１の変形例における第２の解像度の決定処理のサブルーチンである。
【図１１】本発明の第１の変形例における第３の解像度の決定処理のサブルーチンである。
【図１２】本発明の第１の変形例における第４の解像度の決定処理のサブルーチンである。
【図１３】本発明の第２の変形例における解像度の決定処理のサブルーチンである。
【図１４】本発明の第３の変形例における解像度の決定処理のサブルーチンである。
【図１５】本発明の第４の変形例における解像度の決定処理のサブルーチンである。
【図１６】操作パネル１０７または外部機器２００の表示部の画面であって、仕上がりプレビュー画像を表示している状態の画面を模式的に示す図である。
【図１７】本発明の第５の変形例におけるＭＦＰ１００の動作を示すフローチャートである。
【図１８】本発明の第６の変形例において、仕上がりプレビュー画像に関するモードの変更を受け付けた場合のＭＦＰ１００の動作を示すフローチャートである。
【発明を実施するための形態】
【００３２】
以下、本発明の実施の形態について、図面に基づいて説明する。
【００３３】
以下の実施の形態においては、画像処理装置がスキャナー機能、ファクシミリ機能、複写機能、プリンターとしての機能、データ通信機能、およびサーバー機能を備えたＭＦＰ（Ｍｕｌｔｉｆｕｎｃｔｉｏｎ  Ｐｅｒｉｐｈｅｒａｌ）である場合について説明する。画像処理装置は、ＭＦＰ以外の画像形成装置であるファクシミリ装置、複写機、プリンターなどであってもよいし、スキャナーやＰＣ（Ｐｅｒｓｏｎａｌ  Ｃｏｍｐｕｔｅｒ）などであってもよい。
【００３４】
［第１の実施の形態］
始めに、本実施の形態におけるＭＦＰの構成について説明する。
【００３５】
図１は、本発明の第１の実施の形態におけるＭＦＰ１００の構成を概念的に示す図である。なお図１においては、ＭＦＰ１００の一部の構成が断面で示されている。
【００３６】
図１を参照して、ＭＦＰ１００（画像処理装置の一例）は、用紙搬送部１０と、トナー像形成部（プリンター部）２０と、定着部３０と、後処理部（後処理装置）４０と、スキャナー部５０と、流し込み型のＡＤＦ（自動原稿給送装置）６０とを主に備えている。ＭＦＰ１００の下部には、３段の給紙トレイ７１が配置されており、給紙トレイ７１の図１中右側には大容量の給紙トレイ７３が配置されている。プリント時には、給紙トレイ７１または７３に装てんされた用紙は、１枚ずつ用紙搬送部１０によって搬送経路１３に沿って搬送される。用紙は、用紙搬送部１０の給紙ローラー（第二給紙ローラー）１１などによってトナー像形成部２０へ搬送される。トナー像形成部２０は、感光体２１ａを含むイメージングユニット２１と、転写ローラー２２とを含んでいる。トナー像形成部２０は、イメージングユニット２１により感光体２１ａ上に形成したトナー像を、転写ローラー２２によって用紙に転写する。トナー像が転写された用紙は、次に定着部３０に搬送される。定着部３０は、加熱ローラーと加圧ローラーなどを含んでいる。定着部３０は、トナー像が転写された用紙を、加熱ローラーと加圧ローラーとで挟みながら搬送し、その間に加熱および加圧を行う。これにより定着部３０は、用紙に付着したトナーを熱に溶融させて用紙に定着させる。定着部３０によってトナー像が定着された用紙は、搬送経路１２を経由して後処理部４０へ搬送される。その後用紙は、後処理部４０で必要な後処理が施された後で、排紙トレイ７５へ排出される。
【００３７】
トナー像形成部２０の上部にはスキャナー部５０が設けられており、その上には開閉可能なＡＤＦ６０が設けられている。ＡＤＦ６０を閉じた状態で原稿の読み込みを行う場合には、ＡＤＦ６０の給紙トレイ６１に原稿が積載される。給紙トレイ６１に積載された原稿は、ＡＤＦ６０内をスリットガラス（ＡＤＦ原稿読取用スリットガラス）５１へ搬送される。スキャナー部５０は、スリットガラス５１を通過する原稿の表面を読み取る。スリットガラス５１を通過した原稿は、必要に応じてＡＤＦ６０内の図示しないＣＩＳ（Ｃｏｎｔａｃｔ  Ｉｍａｇｅ  Ｓｅｎｓｏｒ）によりその裏面が読み取られ、排紙トレイ６２へ排出される。このように画像を読み取ることにより、ワンパスで（一回の通紙で）原稿の両面の画像を同時に読み取ることができる。またＡＤＦ６０を開いた状態で原稿の読み込みを行う場合には、スキャナー部５０は、プラテンガラス５２上に配置された原稿を読み取る。
【００３８】
ＭＦＰ１００は、外部機器２００（操作端末）とネットワーク２５０により接続されていてもよい。外部機器２００は、たとえばユーザーが所有するＰＣであり、ＣＰＵ（中央演算処理装置）と、ＲＡＭ（Ｒａｎｄｏｍ  Ａｃｃｅｓｓ  Ｍｅｍｏｒｙ）と、ＲＯＭ（Ｒｅａｄ  Ｏｎｌｙ  Ｍｅｍｏｒｙ）と、ＨＤＤ（Ｈａｒｄ  Ｄｉｓｋ  Ｄｒｉｖｅ）と、ネットワーク接続部と、表示部と、操作部などを備えている。外部機器２００は、ＭＦＰ１００の操作、特に仕上がりプレビュー機能を有効にする設定、コピー指示、またはコピーに関する各種モードの設定などを、操作部でユーザーから受け付ける。操作パネル１０７は、所定の場合に仕上がりプレビュー画像を表示部に表示する。外部機器２００はＰＣの他、携帯端末などであってもよい。
【００３９】
図２は、ＭＦＰ１００の内部構成を示すブロック図である。
【００４０】
図２を参照して、ＭＦＰ１００は、ＣＰＵ１０１と、ＲＡＭ１０３と、ＲＯＭ１０５と、操作パネル１０７と、補助記憶装置１０９と、外部インターフェース１１１と、スキャン処理部１１５と、出力画像作成部１１７と、解像度判断部１１９と、仕上がりプレビュー画像作成部１２１と、プリント処理部１２３とを含んでいる。ＣＰＵ１０１には、ＲＡＭ１０３、ＲＯＭ１０５、操作パネル１０７、補助記憶装置１０９、外部インターフェース１１１、スキャン処理部１１５、出力画像作成部１１７、解像度判断部１１９、仕上がりプレビュー画像作成部１２１、およびプリント処理部１２３の各々がバスを介して接続されている。
【００４１】
ＣＰＵ１０１は、スキャンジョブ、コピージョブ、メール送信ジョブ、およびプリントジョブなどの各種ジョブについて、ＭＦＰ１００全体の制御を行う。またＣＰＵ１０１は、ＲＯＭ１０５に記憶された制御プログラムを実行する。ＣＰＵ１０１は、所定の処理を行うことにより、ＲＡＭ１０３またはＲＯＭ１０５からのデータの読み込みや、ＲＡＭ１０３またはＲＯＭ１０５へのデータの書き込みを行う。
【００４２】
ＲＡＭ１０３は、ＣＰＵ１０１のメインメモリである。ＲＡＭ１０３は、ＣＰＵ１０１が制御プログラムを実行するときに必要なデータや画像データ（スキャン画像のデータ、プリント画像のデータ、仕上がりプレビュー画像のデータなど）を一時的に記憶するためなどに用いられる。ＲＡＭ１０３は、画像データの出力に関するモードの設定であって、ユーザーから受け付けた設定を一時的に記憶する。
【００４３】
ＲＯＭ１０５は、たとえばフラッシュＲＯＭ（Ｆｌａｓｈ  Ｍｅｍｏｒｙ）である。ＲＯＭ１０５には、ＭＦＰ１００の動作を行うための各種プログラム、各種固定データ、またはＭＦＰ１００の設置情報などが格納されている。ＲＯＭ１０５は、書換え不可能なものであってもよい。
【００４４】
操作パネル１０７は、タッチパネルディスプレイなどからなる表示部と、ハードウェアキーおよびタッチパネルディスプレイに表示されたソフトウェアキーなどからなる操作部とを含んでいる。操作パネル１０７は、ＭＦＰ１００の操作、特に仕上がりプレビュー機能を有効にする設定、コピー指示、またはコピーに関する各種モードの設定などをユーザーから受け付ける。操作パネル１０７は、所定の場合に仕上がりプレビュー画像をユーザーに対して表示する。さらに操作パネル１０７は、ＭＦＰ１００に関する各種設定項目やメッセージなどをユーザーに対して表示する。
【００４５】
補助記憶装置１０９は、たとえばＨＤＤよりなっており、ＭＦＰ１００の動作に関わる各種データなどを記憶する。また補助記憶装置１０９は、外部機器２００などから受信したデータなどをボックスに記憶する。
【００４６】
外部インターフェース１１１は、イーサネット（登録商標）やＵＳＢを通じて外部機器２００との通信を行う。また外部インターフェース１１１は、外部機器２００に仕上がりプレビュー画像を送信するために利用される。
【００４７】
スキャン処理部１１５は、スキャナー部５０から読み込んだデータからスキャン画像データを作成する。
【００４８】
出力画像作成部１１７は、設定されたモードに基づいて、スキャン画像をプリント画像に変換する処理などを行う。また出力画像作成部１１７は、画像データの文字幅の調整やコントラストや配色の変換などを行う。
【００４９】
解像度判断部１１９は、仕上がりプレビュー画像の解像度を高解像度、中解像度、および低解像度のうちいずれの解像度にするかを判断する。なお、高解像度とは、プリント画像と同じ解像度を意味している。
【００５０】
仕上がりプレビュー画像作成部１２１は、解像度判断部１１９で判断した解像度で、操作パネル１０７または外部機器２００に表示する仕上がりプレビュー画像を作成する。
【００５１】
プリント処理部１２３は、出力画像作成部１１７にて作成されたプリント画像（原稿画像）および付加情報の印刷を行う。
【００５２】
ＭＦＰ１００は、コピー指示と、そのコピーに関するモードの設定とを受け付けた場合に、設定を受け付けたモードに基づいて、スキャンによって得られた画像に処理を施すことにより、出力画像であるプリント画像を作成する。またＭＦＰ１００は、仕上がりプレビュー機能が有効な状態で画像の出力指示を受け付けた場合に、設定を受け付けたモードに基づいて、プリント画像をプレビュー表示する際の解像度（仕上がりプレビュー画像の解像度）を決定し、その解像度でプリント画像の仕上がりプレビュー画像を作成し、操作パネル１０７または外部機器２００へ送信する。
【００５３】
モードとは、コピーの条件に関するユーザーが設定可能な項目である。
【００５４】
図３は、仕上がりプレビュー機能が有効な状態でコピー指示を受け付けた場合のＭＦＰ１００の動作を示すシーケンス図である。
【００５５】
図３を参照して、操作パネル１０７または外部機器２００は、仕上がりプレビュー機能が有効な状態でコピー指示（コピー開始要求）をユーザーから受け付けると、コピー開始要求、設定されたモード、および仕上がりプレビュー画像の作成要求をスキャン処理部１１５へ送信する。スキャン処理部１１５は、これらの要求を受信すると、スキャナー部５０で原稿を読み取り、スキャン画像を作成する。スキャン処理部１１５は、作成したスキャン画像のデータと、設定されたモードとをたとえばＲＡＭ１０３または補助記憶装置１０９のスキャン画像用バッファ領域に格納する。
【００５６】
出力画像作成部１１７は、スキャン用バッファ領域からスキャン画像のデータと、設定されたモードとを取り出し、設定されたモードに応じた画像処理をスキャン画像に対して実施することにより、プリント画像を作成する。出力画像作成部１１７は、作成したプリント画像のデータ（ローデータ）と、設定されたモードとをたとえばＲＡＭ１０３または補助記憶装置１０９のプリント画像用バッファ領域に格納する。
【００５７】
解像度判断部１１９は、プリント画像用バッファ領域からプリント画像のデータと、設定されたモードとを取り出し、プリント画像の種類（画像情報）と、設定されたモードとに基づいて、仕上がりプレビュー画像の解像度を決定し、この解像度を仕上がりプレビュー画像作成部１２１へ送信する。
【００５８】
仕上がりプレビュー画像作成部１２１は、解像度判断部１１９から解像度を受信すると、仕上がりプレビュー画像を形成する。そして、操作パネル１０７または外部機器２００からの仕上がりプレビュー画像の表示要求に応じて、作成した仕上がりプレビュー画像のデータを操作パネル１０７または外部機器２００へ送信する。操作パネル１０７または外部機器２００は、仕上がりプレビュー画像のデータを受信すると、仕上がりプレビュー画像を表示する。
【００５９】
なおＭＦＰ１００は、仕上がりプレビュー機能が有効な状態でコピー指示を受け付けた場合に、仕上がりプレビュー画像を作成してもよいし、コピー指示を受け付けた場合には常に仕上がりプレビュー画像を作成してもよい。さらにＭＦＰ１００は、仕上がりプレビュー画像を作成した場合には常に、その仕上がりプレビュー画像のデータを表示先へ送信してもよいし、仕上がりプレビュー画像を作成した場合には、その仕上がりプレビュー画像を補助記憶装置１０９などに記憶しておき、仕上がりプレビュー画像を表示する要求を表示先から受け付けたときに、補助記憶装置１０９に記憶した仕上がりプレビュー画像のデータを表示先へ送信してもよい。
【００６０】
図４は、本発明の第１の実施の形態におけるＭＦＰ１００の動作を示すフローチャートである。
【００６１】
図４を参照して、ＭＦＰ１００のＣＰＵ１０１は、コピー開始要求、モード設定、および仕上がりプレビュー画像の作成要求を受け付けると（Ｓ１）、原稿を読み取り（Ｓ３）、その原稿のスキャン画像を作成する（Ｓ５）。次にＣＰＵ１０１は、設定されたモードに応じた画像処理をスキャン画像に対して実施することにより、プリント画像を作成する（Ｓ７）。
【００６２】
次にＣＰＵ１０１は、作成したプリント画像の種類を判断する（Ｓ９）。ステップＳ９のプリント画像の種類の判断処理の詳細については後述する。続いてＣＰＵ１０１は、仕上がりプレビュー画像の解像度を決定し（Ｓ１１）、その解像度で仕上がりプレビュー画像を作成する（Ｓ１３）。ステップＳ１１の解像度の決定処理およびステップＳ１３の仕上がりプレビュー画像の作成処理の詳細については後述する。
【００６３】
次にＣＰＵ１０１は、仕上がりプレビュー画像の表示先（ステップＳ１のコピー開始要求、設定されたモード、および仕上がりプレビュー画像の作成要求の送信元）を判別する（Ｓ１５）。
【００６４】
ステップＳ１５において、表示先が操作パネル１０７であると判別した場合（Ｓ１５で「操作パネル」）、ＣＰＵ１０１は、仕上がりプレビュー画像のデータを操作パネル１０７へ送信し（Ｓ１７）、仕上がりプレビュー画像を操作パネル１０７に表示させ（Ｓ１９）、処理を終了する。一方、ステップＳ１５において、表示先が外部機器２００であると判別した場合（Ｓ１５で「外部機器」）、ＣＰＵ１０１は、仕上がりプレビュー画像のデータを外部機器２００へ送信し（Ｓ２１）、仕上がりプレビュー画像を外部機器２００に表示させ（Ｓ２３）、処理を終了する。
【００６５】
図５は、本発明の第１の実施の形態におけるプリント画像の種類の判断処理のサブルーチンである。
【００６６】
図５を参照して、図４のステップＳ９のプリント画像の種類の判断処理において、ＣＰＵ１０１は、プリント画像に基づいて、プリント画像が占める領域を文字の領域、画像の領域、および背景の領域に分け、文字および画像の領域を判別する（Ｓ５１）。次にＣＰＵ１０１は、画像の領域の面積と文字の領域の面積とを比較し、文字の領域の比率が一定以上であるか否かを判別する（Ｓ５３）。
【００６７】
ステップＳ５３において、文字の領域の比率が一定以上であると判別した場合（Ｓ５３でＹＥＳ）、ＣＰＵ１０１は、プリント画像全体のヒストグラムを取得し（Ｓ５５）、取得したヒストグラムが、背景色のヒストグラム（背景の領域のヒストグラム）に近いか否かを判別する（Ｓ５７）。
【００６８】
ステップＳ５７において、背景色のヒストグラムに近いと判別した場合（Ｓ５７でＹＥＳ）、ＣＰＵ１０１は、プリント画像の種類を薄文字写真画像であると判断し（Ｓ５９）、リターンする。薄文字写真画像とは、薄い（背景色に近い）文字や写真が文字の背景に入った画像である。一方、ステップＳ５７において、背景色のヒストグラムに近くないと判別した場合（Ｓ５７でＮＯ）、ＣＰＵ１０１は、プリント画像の種類を文字原稿中心画像であると判断し（Ｓ６１）、リターンする。文字原稿中心画像とは、文字中心の画像を意味している。
【００６９】
ステップＳ５３において、文字の領域の比率が一定未満であると判別した場合（Ｓ５３でＮＯ）、ＣＰＵ１０１は、プリント画像内で細線を検出したか否かを判別する（Ｓ６３）。
【００７０】
ステップＳ６３において、細線を検出したと判別した場合（Ｓ６３でＹＥＳ）、ＣＰＵ１０１は、プリント画像の種類を、細線を含む画像であると判別し（Ｓ６５）、リターンする。細線を含む画像とは、一定幅よりも細い線を含む写真中心の画像である。
【００７１】
ステップＳ６３において、細線を検出しないと判別した場合（Ｓ６３でＮＯ）、ＣＰＵ１０１は、プリント画像内でグラデーションを検出したか否かを判別する（Ｓ６７）。
【００７２】
ステップＳ６７において、グラデーションを検出したと判別した場合（Ｓ６７でＹＥＳ）、ＣＰＵ１０１は、プリント画像の種類をグラデーション画像であると判別し（Ｓ６９）、リターンする。グラデーション画像とは、グラデーションを含む写真中心の画像である。一方、ステップＳ６７において、グラデーションを検出しないと判別した場合（Ｓ６７でＹＥＳ）、ＣＰＵ１０１は、プリント画像の種類を写真画像であると判別し（Ｓ７１）、リターンする。写真画像とは、細線およびグラデーションを含まない写真中心の画像である。
【００７３】
図５のサブルーチンでは、ＣＰＵ１０１が、文字原稿中心画像、写真画像、細線を含む画像、グラデーション画像、および薄文字写真画像という候補の中からプリント画像の種類を判断する場合について示したが、ＣＰＵ１０１は、これら以外のプリント画像の種類をさらに含む候補の中からプリント画像の種類を判断してもよいし、これら以外の候補の中からプリント画像の種類を判断してもよい。
【００７４】
図６は、本発明の第１の実施の形態における解像度の決定処理で使用する解像度決定テーブルを模式的に示す図である。
【００７５】
図６を参照して、図４のステップＳ１１の解像度の決定処理では、補助記憶装置１０９が記憶する解像度決定テーブルを用いて解像度を決定する。この解像度決定テーブルでは、行方向（図６中横方向）に沿って画像の種類が記載されており、列方向（図６中縦方向）に沿ってモードが記載されている。
【００７６】
両面印刷では、スキャン画像がそのまま用紙の両面に印刷されるので、画像の欠損が発生することはなく、プリント画像を詳細にプレビュー表示する必要は無い。したがって、両面印刷モードが設定された場合には、プリント画像の種類に関わらず、ＭＦＰ１００は仕上がりプレビュー画像の解像度を低解像度に決定する。
【００７７】
２ｉｎ１、４ｉｎ１などの、複数ページの画像を１つの画像に集約する集約モードでは、スキャン画像を縮小することでプリント画像が作成されるので、プリント画像が細線を含む場合には、プリント画像の細線が縮小により消える可能性がある。したがって、２ｉｎ１、４ｉｎ１などの集約モードが設定された場合において、プリント画像の種類が細線を含む画像であるときは、ＭＦＰ１００は仕上がりプレビュー画像の解像度を中解像度に決定する。プリント画像の種類がそれ以外であるときは、ＭＦＰ１００は仕上がりプレビュー画像の解像度を低解像度に決定する。
【００７８】
スタンプ（日付やページ番号など）、ステイプル、またはパンチ穴を付加する場合、スタンプ、ステイプル、またはパンチ穴を付加する位置に画像が存在すると、その画像が欠損する。このため、スタンプ、ステイプル、またはパンチ穴を付加するモードでは、これらの位置に文字または画像が存在する場合には、ＭＦＰ１００は仕上がりプレビュー画像の解像度を中解像度に決定し、これらの位置に文字および画像が存在しない場合（スタンプ、ステイプル、またはパンチ穴が付加される位置が背景である場合）には、ＭＦＰ１００は仕上がりプレビュー画像の解像度を低解像度に決定する。
【００７９】
ウォーターマークは、解像度が低い場合には認識しにくくなる。したがって、ウォーターマークを付加するモードが設定された場合には、プリント画像の種類に関わらず、ＭＦＰ１００は仕上がりプレビュー画像の解像度を高解像度に決定する。
【００８０】
プリント濃度が標準よりも薄い場合において、プリント画像の種類が写真画像であるときは、プリント画像の画質が大きく劣化する場合がある。また、プリント画像の種類が細線を含む画像であるときは、プリント画像の細線が消える可能性がある。さらに、プリント濃度が標準から変更された場合において、プリント画像の種類が薄文字写真画像であるときは、薄い文字や写真が見えにくくなる可能性がある。したがって、プリント濃度を標準よりも薄くするモードが設定された場合において、プリント画像の種類が写真画像または細線を含む画像であるときは、ＭＦＰ１００は仕上がりプレビュー画像の解像度を高解像度に決定する。また、プリント濃度が標準から変更された場合において、プリント画像の種類が薄文字写真画像であるときは、ＭＦＰ１００は仕上がりプレビュー画像の解像度を高解像度に決定する。プリント画像の種類がそれ以外であるときは、ＭＦＰ１００は仕上がりプレビュー画像の解像度を低解像度に決定する。
【００８１】
モノクロ印刷では、プリント画像の種類が写真画像やグラデーション画像である場合には、プリント画像の画質が大きく劣化する場合がある。したがって、モノクロ印刷モードが設定された場合において、プリント画像の種類が写真画像またはグラデーション画像であるときは、ＭＦＰ１００は仕上がりプレビュー画像の解像度を高解像度に決定する。プリント画像の種類がそれ以外であるときは、ＭＦＰ１００は仕上がりプレビュー画像の解像度を低解像度に決定する。
【００８２】
なお、図６の解像度決定テーブルを使用した解像度の決定処理は、解像度の決定処理の一例であり、ＭＦＰ１００はこれ以外の方法で解像度を決定してもよい。また、上述の解像度の決定処理では、高解像度、中解像度、および低解像度の３段階の中から解像度が決定されているが、ＭＦＰ１００は、４段階以上の中から解像度を決定してもよいし、２段階の中から解像度を決定してもよい。
【００８３】
図７は、本発明の第１の実施の形態における仕上がりプレビュー画像の形成処理のサブルーチンである。
【００８４】
図７を参照して、図４のステップＳ１３の仕上がりプレビュー画像の形成処理において、ＣＰＵ１０１は、決定された解像度を判別する（Ｓ１０１）。
【００８５】
ステップＳ１０１において、決定された解像度が高解像度であると判別した場合（Ｓ１０１で「高解像度」）、ＣＰＵ１０１は、プリント画像に基づいて高解像度の仕上がりプレビュー画像を作成し（Ｓ１０３）、リターンする。
【００８６】
ステップＳ１０１において、決定された解像度が中解像度であると判別した場合（Ｓ１０１で「中解像度」）、ＣＰＵ１０１は、プリント画像に基づいて中解像度の仕上がりプレビュー画像を作成し（Ｓ１０５）、リターンする。
【００８７】
ステップＳ１０１において、決定された解像度が低解像度であると判別した場合（Ｓ１０１で「低解像度」）、ＣＰＵ１０１は、プリント画像に基づいて低解像度の仕上がりプレビュー画像を作成し（Ｓ１０７）、リターンする。
【００８８】
本実施の形態では、プリント画像の種類と設定されたモードとに基づいて解像度を決定する場合について示したが、ＭＦＰ１００は、少なくとも設定されたモードに基づいて解像度を決定するものであればよい。
【００８９】
［第１の変形例］
ここでは、ＭＦＰ１００の動作の第１の変形例について説明する。本変形例においてＭＦＰ１００は、プリント画像の判断処理で判断されたプリント画像の種類に応じて、異なる解像度の決定処理を実行する。
【００９０】
図８は、本発明の第１の変形例における解像度の決定処理のサブルーチンである。
【００９１】
図８を参照して、図４のステップＳ１１の解像度の決定処理において、ＣＰＵ１０１は、プリント画像の種類の判断処理で判断されたプリント画像の種類は何であったかを判別する（Ｓ２９０）。
【００９２】
ステップＳ２９０において、文字原稿中心画像またはグラデーション画像であったと判別した場合（Ｓ２９０で「文字原稿中心画像またはグラデーション画像」）、ＣＰＵ１０１は、図９に示すステップＳ２９１の第１の解像度の決定処理を実行し（Ｓ２９１）、リターンする。
【００９３】
ステップＳ２９０において、写真画像であったと判別した場合（Ｓ２９０で「写真画像」）、ＣＰＵ１０１は、図１０に示すステップＳ２９２の第２の解像度の決定処理を実行し（Ｓ２９２）、リターンする。
【００９４】
ステップＳ２９０において、細線を含む画像であったと判別した場合（Ｓ２９０で「細線を含む画像」）、ＣＰＵ１０１は、図１１に示すステップＳ２９３の第３の解像度の決定処理を実行し（Ｓ２９３）、リターンする。
【００９５】
ステップＳ２９０において、薄文字写真画像であったと判別した場合（Ｓ２９０で「薄文字写真画像」）、ＣＰＵ１０１は、図１２に示すステップＳ２９４の第４の解像度の決定処理を実行し（Ｓ２９４）、リターンする。
【００９６】
図９は、本発明の第１の変形例における第１の解像度の決定処理のサブルーチンである。
【００９７】
図９を参照して、図８のステップＳ２９１の第１の解像度の決定処理において、ＣＰＵ１０１は、ウォーターマークを付加するモードが設定されているか否かを判別する（Ｓ２０１）。ステップＳ２０１にいて、設定されていると判別した場合（Ｓ２０１でＹＥＳ）、ＣＰＵ１０１は、仕上がりプレビュー画像の解像度を高解像度に決定し（Ｓ２０３）、リターンする。
【００９８】
ステップＳ２０１において、設定されていないと判別した場合（Ｓ２０１でＮＯ）、ＣＰＵ１０１は、プリント濃度を標準よりも薄くするモードが設定されているか否かを判別する（Ｓ２０５）。ステップＳ２０５において、設定されていると判別した場合（Ｓ２０５でＹＥＳ）、ＣＰＵ１０１は、仕上がりプレビュー画像の解像度を高解像度に決定し（Ｓ２０３）、リターンする。
【００９９】
ステップＳ２０５において、設定されていないと判別した場合（Ｓ２０５でＮＯ）、ＣＰＵ１０１は、スタンプ、ステイプル、またはパンチ穴を付加することによって画像が欠落するか否かを判別する（Ｓ２０７）。ステップＳ２０７において、欠落すると判別した場合（Ｓ２０７でＹＥＳ）、ＣＰＵ１０１は、仕上がりプレビュー画像の解像度を中解像度に決定し（Ｓ２０９）、リターンする。
【０１００】
ステップＳ２０７において、欠落しないと判別した場合（Ｓ２０７でＮＯ）、ＣＰＵ１０１は、２ｉｎ１、４ｉｎ１などの集約モードが設定されているか否かを判別する（Ｓ２１１）。ステップＳ２１１において、設定されていると判別した場合（Ｓ２１１でＹＥＳ）、ＣＰＵ１０１は、仕上がりプレビュー画像の解像度を中解像度に決定し（Ｓ２０９）、リターンする。
【０１０１】
ステップＳ２１１において、設定されていないと判別した場合（Ｓ２１１でＮＯ）、ＣＰＵ１０１は、仕上がりプレビュー画像の解像度を低解像度に決定し（Ｓ２１３）、リターンする。
【０１０２】
図１０は、本発明の第１の変形例における第２の解像度の決定処理のサブルーチンである。
【０１０３】
図１０を参照して、図８のステップＳ２９２の第２の解像度の決定処理において、ＣＰＵ１０１は、ウォーターマークを付加するモードが設定されているか否かを判別する（Ｓ２３１）。ステップＳ２３１にいて、設定されていると判別した場合（Ｓ２３１でＹＥＳ）、ＣＰＵ１０１は、仕上がりプレビュー画像の解像度を高解像度に決定し（Ｓ２３３）、リターンする。
【０１０４】
ステップＳ２３１において、設定されていないと判別した場合（Ｓ２３１でＮＯ）、ＣＰＵ１０１は、プリント濃度を標準よりも薄くするモードが設定されているか否かを判別する（Ｓ２３５）。ステップＳ２３５において、設定されていると判別した場合（Ｓ２３５でＹＥＳ）、ＣＰＵ１０１は、仕上がりプレビュー画像の解像度を高解像度に決定し（Ｓ２３３）、リターンする。
【０１０５】
ステップＳ２３５において、設定されていないと判別した場合（Ｓ２３５でＮＯ）、ＣＰＵ１０１は、スタンプ、ステイプル、またはパンチ穴を付加することによって画像が欠落するか否かを判別する（Ｓ２３７）。ステップＳ２３７において、欠落すると判別した場合（Ｓ２３７でＹＥＳ）、ＣＰＵ１０１は、仕上がりプレビュー画像の解像度を中解像度に決定し（Ｓ２３９）、リターンする。
【０１０６】
ステップＳ２３７において、欠落しないと判別した場合（Ｓ２３７でＮＯ）、ＣＰＵ１０１は、仕上がりプレビュー画像の解像度を低解像度に決定し（Ｓ２４１）、リターンする。
【０１０７】
図１１は、本発明の第１の変形例における第３の解像度の決定処理のサブルーチンである。
【０１０８】
図１１を参照して、図８のステップＳ２９３の第３の解像度の決定処理において、ＣＰＵ１０１は、ウォーターマークを付加するモードが設定されているか否かを判別する（Ｓ２５１）。ステップＳ２５１にいて、設定されていると判別した場合（Ｓ２５１でＹＥＳ）、ＣＰＵ１０１は、仕上がりプレビュー画像の解像度を高解像度に決定し（Ｓ２５３）、リターンする。
【０１０９】
ステップＳ２５１において、設定されていないと判別した場合（Ｓ２５１でＮＯ）、ＣＰＵ１０１は、スタンプ、ステイプル、またはパンチ穴を付加することによって画像が欠落するか否かを判別する（Ｓ２５５）。ステップＳ２５５において、欠落すると判別した場合（Ｓ２５５でＹＥＳ）、ＣＰＵ１０１は、仕上がりプレビュー画像の解像度を中解像度に決定し（Ｓ２５７）、リターンする。
【０１１０】
ステップＳ２５５において、欠落しないと判別した場合（Ｓ２５５でＮＯ）、ＣＰＵ１０１は、仕上がりプレビュー画像の解像度を低解像度に決定し（Ｓ２５９）、リターンする。
【０１１１】
図１２は、本発明の第１の変形例における第４の解像度の決定処理のサブルーチンである。
【０１１２】
図１２を参照して、図８のステップＳ２９４の第４の解像度の決定処理において、ＣＰＵ１０１は、ウォーターマークを付加するモードが設定されているか否かを判別する（Ｓ２７１）。ステップＳ２７１にいて、設定されていると判別した場合（Ｓ２７１でＹＥＳ）、ＣＰＵ１０１は、仕上がりプレビュー画像の解像度を高解像度に決定し（Ｓ２７３）、リターンする。
【０１１３】
ステップＳ２７１において、設定されていないと判別した場合（Ｓ２７１でＮＯ）、ＣＰＵ１０１は、モノクロ印刷モードが設定されているか否かを判別する（Ｓ２７５）。ステップＳ２７５において、設定されていると判別した場合（Ｓ２７５でＹＥＳ）、ＣＰＵ１０１は、仕上がりプレビュー画像の解像度を高解像度に決定し（Ｓ２７３）、リターンする。
【０１１４】
ステップＳ２７５において、設定されていないと判別した場合（Ｓ２７５でＮＯ）、ＣＰＵ１０１は、スタンプ、ステイプル、またはパンチ穴を付加することによって画像が欠落するか否かを判別する（Ｓ２７７）。ステップＳ２７７において、欠落すると判別した場合（Ｓ２７７でＹＥＳ）、ＣＰＵ１０１は、仕上がりプレビュー画像の解像度を中解像度に決定し（Ｓ２７９）、リターンする。
【０１１５】
ステップＳ２７７において、欠落しないと判別した場合（Ｓ２７７でＮＯ）、ＣＰＵ１０１は、仕上がりプレビュー画像の解像度を低解像度に決定し（Ｓ２８１）、リターンする。
【０１１６】
なお、本変形例におけるＭＦＰ１００の構成、および上述以外のＭＦＰ１００の動作は、第１の実施の形態の場合と同様であるため、ここではその説明を繰り返さない。
【０１１７】
［第２の変形例］
ここでは、ＭＦＰ１００の動作の第２の変形例について説明する。本変形例においてＭＦＰ１００は、設定されたモードによってスキャン画像の一部が欠落する場合には、中解像度に決定し、設定されたモードによってスキャン画像の一部が欠落しないが、設定されたモードがスキャン画像の画質に影響を及ぼす場合には、解像度を高解像度に決定し、設定されたモードがスキャン画像の画質に影響を及ぼさない場合には、仕上がりプレビュー画像の解像度を低解像度に決定する。
【０１１８】
たとえば、プリント画像の種類が写真画像、細線を含む画像、またはグラデーション画像である場合において、設定されたモードがウォーターマークのモードであるときは、ＭＦＰ１００は、スキャン画像の画質に影響を及ぼすと判断し、解像度を高解像度に決定してもよい。
【０１１９】
また、プリント画像の種類が細線を含む画像である場合において、設定されたモードが、画像濃度を標準よりも薄くするモードであるときは、ＭＦＰ１００は、スキャン画像の画質に影響を及ぼすと判断し、解像度を高解像度に決定してもよい。
【０１２０】
また、プリント画像の種類が細線を含む画像でない場合において、設定されたモードが集約モードであるときは、ＭＦＰ１００は、スキャン画像の画質に影響を及ぼさないと判断し、解像度を低解像度に決定してもよい。
【０１２１】
また、設定されたモードが両面印刷のモードであるときは、ＭＦＰ１００はスキャン画像の画質に影響を及ぼさないと判断し、解像度を低解像度に決定してもよい。
【０１２２】
また、設定されたモードがスタンプ、ステイプル、またはパンチ穴を付加するモードである場合において、スキャン画像におけるスタンプ、ステイプル、またはパンチ穴を付加する位置が背景色でないときは、ＭＦＰ１００はその位置に画像が存在すると判断し、スキャン画像の一部が欠落すると判断し、解像度を中解像度に決定してもよい。
【０１２３】
さらに、設定されたモードがスキャン画像の画質に影響を及ぼすか否か、およびスキャン画像の一部が欠落するか否かは、設定されたモードのみに基づいて判断されてもよいし、設定されたモードとプリント画像の種類とに基づいて判断されてもよい。
【０１２４】
図１３は、本発明の第２の変形例における解像度の決定処理のサブルーチンである。
【０１２５】
図１３を参照して、図４のステップＳ１１の解像度の決定処理において、ＣＰＵ１０１は、スキャン画像とプリント画像とを比較し（Ｓ３０１）、設定されたモードにより影響を受ける領域であるモード画像領域を決定する（Ｓ３０３）。次にＣＰＵ１０１は、設定されたモードによってスキャン画像の一部が欠落するか（モード画像領域の画像が欠落するか）否かを判別する（Ｓ３０５）。
【０１２６】
ステップＳ３０５において、スキャン画像の一部が欠落すると判別した場合（Ｓ３０５でＹＥＳ）、ＣＰＵ１０１は、仕上がりプレビュー画像の解像度を中解像度に決定し（Ｓ３０７）、リターンする。
【０１２７】
ステップＳ３０５において、スキャン画像が欠落しないと判別した場合（Ｓ３０５でＮＯ）、ＣＰＵ１０１は、設定されたモードがスキャン画像の画質に影響を及ぼすか（画質の影響を受けるモード画像領域が存在するか）否かを判別する（Ｓ３０９）。
【０１２８】
ステップＳ３０９において、スキャン画像の画質に影響を及ぼすと判別した場合（Ｓ３０９でＹＥＳ）、ＣＰＵ１０１は、仕上がりプレビュー画像の解像度を高解像度に決定し（Ｓ３１１）、リターンする。
【０１２９】
ステップＳ３０９において、スキャン画像の画質に影響を及ぼさないと判別した場合（Ｓ３０９でＮＯ）、ＣＰＵ１０１は、仕上がりプレビュー画像の解像度を低解像度に決定し（Ｓ３１３）、リターンする。
【０１３０】
なお、本変形例におけるＭＦＰ１００の構成、および上述以外のＭＦＰ１００の動作は、第１の実施の形態の場合と同様であるため、ここではその説明を繰り返さない。
【０１３１】
［第３の変形例］
ここでは、ＭＦＰ１００の動作の第３の変形例について説明する。本変形例においてＭＦＰ１００は、プリント画像の種類が細線を含む画像である場合において、設定されたモードが集約モードであるときは、仕上がりプレビュー画像の解像度を中解像度と決定する。またＭＦＰ１００は、設定されたモードが両面印刷モードであるときは、仕上がりプレビュー画像の解像度を低解像度と決定する。
【０１３２】
図１４は、本発明の第３の変形例における解像度の決定処理のサブルーチンである。
【０１３３】
図１４を参照して、図４のステップＳ１１の解像度の決定処理において、ＣＰＵ１０１は、両面印刷のモードが設定されているか否かを判別する（Ｓ４０１）。
【０１３４】
ステップＳ４０１において、設定されていると判別した場合（Ｓ４０１でＹＥＳ）、ＣＰＵ１０１は、仕上がりプレビュー画像の解像度を低解像度に決定し（Ｓ４０３）、リターンする。
【０１３５】
ステップＳ４０１において、設定されていないと判別した場合（Ｓ４０１でＮＯ）、ＣＰＵ１０１は、集約モードが設定されているか否かを判別する（Ｓ４０５）。ステップＳ４０５において、設定されていると判別した場合（Ｓ４０５でＹＥＳ）、ＣＰＵ１０１はプリント画像が細線を含む画像であるか否かを判別する（Ｓ４０７）。
【０１３６】
ステップＳ４０７において、細線を含む画像であると判別した場合（Ｓ４０７でＹＥＳ）、ＣＰＵ１０１は、仕上がりプレビュー画像の解像度を中解像度に決定し（Ｓ４０９）、リターンする。
【０１３７】
ステップＳ４０５において、設定されていないと判別した場合（Ｓ４０５でＮＯ）、またはステップＳ４０７において、細線を含む画像でないと判別した場合（Ｓ４０７でＮＯ）、ＣＰＵ１０１は、仕上がりプレビュー画像の解像度を低解像度に決定し（Ｓ４０３）、リターンする。
【０１３８】
なお、本変形例におけるＭＦＰ１００の構成、および上述以外のＭＦＰ１００の動作は、第１の実施の形態の場合と同様であるため、ここではその説明を繰り返さない。
【０１３９】
［第４の変形例］
ここでは、ＭＦＰ１００の動作の第４の変形例について説明する。本変形例においてＭＦＰ１００は、設定されたモードがスタンプ、ステイプル、またはパンチ穴を付加するモードである場合において、スキャン画像におけるスタンプ、ステイプル、またはパンチ穴を付加する位置が背景色でないときは、仕上がりプレビュー画像の解像度を中解像度と決定し、スキャン画像におけるスタンプ、ステイプル、またはパンチ穴を付加する位置が背景色であるときは、仕上がりプレビュー画像の解像度を中解像度と決定する。
【０１４０】
図１５は、本発明の第４の変形例における解像度の決定処理のサブルーチンである。
【０１４１】
図１５を参照して、図４のステップＳ１１の解像度の決定処理において、ＣＰＵ１０１は、スタンプ、ステイプル、またはパンチ穴を付加するモードが設定されているか否かを判別する（Ｓ５０１）。
【０１４２】
ステップＳ５０１において、設定されていると判別した場合（Ｓ５０１でＹＥＳ）、ＣＰＵ１０１は、スキャン画像におけるスタンプ、ステイプル、またはパンチ穴を付加する位置を特定し（Ｓ５０３）、プリント画像におけるその特定した位置の画像の色を取得する（Ｓ５０５）。続いてＣＰＵ１０１は、取得した画像の色が背景の色であるか否かを判別する（Ｓ５０７）。
【０１４３】
ステップＳ５０７において、背景の色であると判別した場合（Ｓ５０７でＹＥＳ）、スタンプ、ステイプル、またはパンチ穴を付加する位置に画像は形成されておらず、プリント画像は欠落しない。したがって、この場合ＣＰＵ１０１は、仕上がりプレビュー画像の解像度を低解像度に決定し（Ｓ５０９）、リターンする。
【０１４４】
ステップＳ５０７において、背景の色でないと判別した場合（Ｓ５０７でＮＯ）、スタンプ、ステイプル、またはパンチ穴を付加する位置に画像が形成されており、プリント画像の一部が欠落する。したがって、この場合ＣＰＵ１０１は、仕上がりプレビュー画像の解像度を中解像度に決定し（Ｓ５１１）、リターンする。
【０１４５】
ステップＳ５０１において、設定されていないと判別した場合（Ｓ５０１でＮＯ）、ＣＰＵ１０１はステップＳ５０９の処理へ進む。
【０１４６】
なお、本変形例におけるＭＦＰ１００の構成、および上述以外のＭＦＰ１００の動作は、第１の実施の形態の場合と同様であるため、ここではその説明を繰り返さない。
【０１４７】
［第５の変形例］
ここでは、図４のステップＳ１１の解像度の決定処理の第５の変形例について説明する。
【０１４８】
図１６は、操作パネル１０７または外部機器２００の表示部の画面であって、仕上がりプレビュー画像を表示している状態の画面を模式的に示す図である。（ａ）は、通常の表示モードの場合の画面であり、（ｂ）は、複数ページの表示モードの場合の画面である。
【０１４９】
図１６を参照して、通常の表示モードでは、（ａ）に示すように、単一のページの仕上がりプレビュー画像ＰＭのみが一つの画面に表示される。表示部には、仕上がりプレビュー画像ＰＭの他に、次のページの仕上がりプレビュー画像を表示する際に押下されるキーＫ１と、複数ページの表示モードに切り替える際に押下されるキーＫ２とが表示される。
【０１５０】
複数ページの表示モードでは、（ｂ）に示すように、複数ページ分（ここでは３ページ分）の仕上がりプレビュー画像ＰＭ１〜ＰＭ３が一つの画面に表示される。表示部には、仕上がりプレビュー画像ＰＭ１〜ＰＭ３の他に、次のページの仕上がりプレビュー画像を表示する際に押下されるキーＫ３と、通常の表示モードに切り替える際に押下されるキーＫ４とが表示される。
【０１５１】
ユーザーは、（ａ）に示す通常の表示モードの画面において、キーＫ２を押下することにより、（ｂ）に示す複数ページの表示モードに切り替えることができる。またユーザーは、（ｂ）に示す複数ページの表示モードの画面において、キーＫ４を押下することにより、（ａ）に示す通常の表示モードに切り替えることができる。
【０１５２】
ＭＦＰ１００は、ユーザーによって複数ページの表示モードが選択された場合に、複数ページ分の仕上がりプレビュー画像を作成する必要がある。本変形例においては、ＭＦＰ１００は、複数ページの表示モードが選択された場合に、プリント画像をプレビュー表示する際の解像度をページ毎に決定し、仕上がりプレビュー画像をページ毎に決定した解像度で作成する。
【０１５３】
図１７は、本発明の第５の変形例におけるＭＦＰ１００の動作を示すフローチャートである。
【０１５４】
図１７を参照して、ＣＰＵ１０１は、コピー開始要求、モード設定、および複数ページの表示モードでのページの仕上がりプレビュー画像の作成要求を受け付けると（Ｓ６０１）、原稿の全ページを読み取り（Ｓ６０３）、その原稿の全ページのスキャン画像を作成する（Ｓ６０５）。次にＣＰＵ１０１は、設定されたモードに応じた画像処理をスキャン画像に対して実施することにより、原稿の全ページのプリント画像を作成する（Ｓ６０７）。
【０１５５】
続いてＣＰＵ１０１は、変数Ｐを１に設定し（Ｓ６０８）、Ｐページのプリント画像の種類を判断する（Ｓ６０９）。ステップＳ６０９のプリント画像の種類の判断処理は、図５に示す第１の実施の形態における処理と同様であるため、その説明は繰り返さない。次にＣＰＵ１０１は、Ｐページの仕上がりプレビュー画像の解像度を決定し（Ｓ６１１）、その解像度でＰページの仕上がりプレビュー画像を作成する（Ｓ６１３）。ステップＳ６１１の解像度の決定処理およびステップＳ６１３の仕上がりプレビュー画像の作成処理は、それぞれ図６および図７に示す第１の実施の形態における処理と同様であるため、その説明は繰り返さない。
【０１５６】
次にＣＰＵ１０１は、変数Ｐをインクリメントする（Ｓ６１４）。そしてＣＰＵ１０１は、変数Ｐの値がプリント画像の最後のページの値よりも大きくなった場合には、ステップＳ６１５の処理へ進み、変数Ｐの値がプリント画像の最後のページの値以下である場合には、ステップＳ６０９〜ステップＳ６１４の処理を繰り返す。
【０１５７】
ステップＳ６１５において、ＣＰＵ１０１は、仕上がりプレビュー画像の表示先（ステップＳ６０１のコピー開始要求、モード設定、および仕上がりプレビュー画像の作成要求の送信元）を判別する（Ｓ６１５）。
【０１５８】
ステップＳ６１５において、表示先が操作パネル１０７であると判別した場合（Ｓ６１５で「操作パネル」）、ＣＰＵ１０１は、仕上がりプレビュー画像のデータを操作パネル１０７へ送信し（Ｓ６１７）、必要なページの仕上がりプレビュー画像を操作パネル１０７に表示させ（Ｓ６１９）、処理を終了する。一方、ステップＳ６１５において、表示先が外部機器２００であると判別した場合（Ｓ６１５で「外部機器」）、ＣＰＵ１０１は、仕上がりプレビュー画像のデータを外部機器２００へ送信し（Ｓ６２１）、必要なページの仕上がりプレビュー画像を外部機器２００に表示させ（Ｓ６２３）、処理を終了する。
【０１５９】
ＭＦＰ１００は、上述の方法により仕上がりプレビュー画像を作成する場合の他、キーＫ２またはキーＫ３が押下される度に、表示するページのプリント画像のみに対してステップＳ６０９〜ステップＳ６１４の処理を行うことにより、表示するページの仕上がりプレビュー画像のみを作成してもよい。
【０１６０】
なお、本変形例におけるＭＦＰ１００の構成、および上述以外のＭＦＰ１００の動作は、第１の実施の形態の場合と同様であるため、ここではその説明を繰り返さない。
【０１６１】
［第６の変形例］
ここでは、ＭＦＰ１００の動作の第６の変形例について説明する。本変形例においてＭＦＰ１００は、操作パネル１０７または外部機器２００の表示部に仕上がりプレビュー画像を表示した場合に、その仕上がりプレビュー画像に関するモードの変更を受け付け可能である。ＭＦＰ１００は、モードの変更を受け付けた場合に、変更後のモードに基づいて、変更後のプリント画像を作成し、変更後の仕上がりプレビュー画像をプレビュー表示する際の解像度（変更後の解像度）を決定する。そしてＭＦＰ１００は、変更前の解像度と変更後の解像度とを比較することにより、変更後の仕上がりプレビュー画像を作成するか否かを決定する。変更前の解像度よりも変更後の解像度の方が高い場合、ＭＦＰ１００は変更後の仕上がりプレビュー画像を作成し、その画像を表示先に表示する。一方、変更前の解像度よりも変更後の解像度の方が低い場合、ＭＦＰ１００は変更後の仕上がりプレビュー画像を作成せず、変更前の仕上がりプレビュー画像をそのまま利用して表示先に表示する。
【０１６２】
図１８は、本発明の第６の変形例において、仕上がりプレビュー画像に関するモードの変更を受け付けた場合のＭＦＰ１００の動作を示すフローチャートである。
【０１６３】
図１８を参照して、ＣＰＵ１０１は、モードの変更を受け付けると（Ｓ７０１）、変更後のモードに基づいて、プリント画像を変更する（Ｓ７０３）。次にＣＰＵ１０１は、変更後のプリント画像の種類を判断し（Ｓ７０５）、変更後のプリント画像の仕上がりプレビュー画像の解像度を決定する（Ｓ７０７）。ステップＳ７０５のプリント画像の種類の判断処理、およびステップＳ７０７の解像度の決定処理は、それぞれ図５および図６に示す第１の実施の形態における処理と同様であるため、その説明は繰り返さない。
【０１６４】
次にＣＰＵ１０１は、変更前の解像度と変更後の解像度とを比較し、変更前の解像度よりも変更後の解像度の方が高いか否かを判別する（Ｓ７０９）。
【０１６５】
ステップＳ７０９において、変更前の解像度よりも変更後の解像度の方が高いと判別した場合（Ｓ７０９でＹＥＳ）、ＣＰＵ１０１は、変更後の解像度で仕上がりプレビュー画像を作成する（Ｓ７１１）。そしてＣＰＵ１０１は、作成した仕上がりプレビュー画像のデータを表示先へ送信し（Ｓ７１３）、その仕上がりプレビュー画像を表示先で表示し（Ｓ７１５）、処理を終了する。
【０１６６】
ステップＳ７０９において、変更前の解像度よりも変更後の解像度の方が低いと判別した場合（Ｓ７０９でＮＯ）、ＣＰＵ１０１は、仕上がりプレビュー画像を新たに作成せずに、変更前のプリント画像の仕上がりプレビュー画像を表示先に表示し（Ｓ７１７）、処理を終了する。
【０１６７】
［実施の形態の効果］
仕上がりプレビュー表示には、主に、プリント画像を用紙に印刷した場合の出来栄えのイメージを確認する目的と、設定されたモードによりプリント画像に発生しうる画像欠損や画質への影響の有無を確認する目的との２つが存在する。前者の目的の場合、ユーザーは、プリント画像のおおまかなイメージを把握することができれば足りる。一方で後者の目的の場合、ユーザーは画像欠損や画質への影響の程度を詳細に把握することを望んでいる。つまり、前者の目的の場合、仕上がりプレビュー画像は高解像度である（詳細である）必要は無いが、後者の目的の場合、仕上がりプレビュー画像は高解像度である必要がある。この点において、従来は、仕上がりプレビュー画像を一律に高解像度（プリント画像と同じ解像度）で表示していたので、仕上がりプレビュー画像の表示に時間を要していた。
【０１６８】
上述の実施の形態によれば、設定されたモードとプリント画像とに基づいて仕上がりプレビュー画像の解像度を決定するので、ユーザーが必要とする画像の情報を損ねることなく、仕上がりプレビュー画像を素早く表示させることができる。仕上がりプレビューの応答性を向上することができ、操作性を向上することができる。
【０１６９】
［その他］
上述の実施の形態では、ＭＦＰ１００がコピー指示を受け付けた場合のＭＦＰ１００の動作について説明したが、画像処理装置は、たとえばスキャンした画像の送信指示、プリント指示、またはスキャンした画像の保存指示などの画像の出力の指示を受け付けた場合に、設定を受け付けたモードである画像の出力に関するモードに基づいて出力画像を作成し、設定を受け付けたモードに基づいて解像度を決定し、その解像度で出力画像のプレビュー画像を作成すればよい。
【０１７０】
上述の実施の形態では、設定された１つのモードに基づく解像度の決定方法を説明したが、２つ以上のモードの設定を受け付けた場合には、ＭＦＰ１００は、設定されたそれぞれのモードに対して上述の方法で解像度を決定し、決定した解像度のうち最も高い解像度で仕上がりプレビュー画像を作成してもよい。
【０１７１】
上述の実施の形態は適宜組み合わせることができる。たとえば、第１の実施の形態と第１〜第６の変形例とを組み合わせることも可能であるし、第１〜第６の変形例を互いに組み合わせることも可能である。
【０１７２】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１７３】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１７４】
１０  用紙搬送部
１１  給紙ローラー
１２，１３  搬送経路
２０  トナー像形成部
２１  イメージングユニット
２１ａ  感光体
２２  転写ローラー
３０  定着部
４０  後処理部
５０  スキャナー部
５１  スリットガラス
５２  プラテンガラス
６０  ＡＤＦ
６１，７１，７３  給紙トレイ
６２，７５  排紙トレイ
１００  ＭＦＰ
１０１  ＣＰＵ
１０３  ＲＡＭ
１０５  ＲＯＭ
１０７  操作パネル
１０９  補助記憶装置
１１１  外部インターフェース
１１５  スキャン処理部
１１７  出力画像作成部
１１９  解像度判断部
１２１  仕上がりプレビュー画像作成部
１２３  プリント処理部
２００  外部機器
２５０  ネットワーク
Ｋ１〜Ｋ４  キー
ＰＭ，ＰＭ１〜ＰＭ３  プレビュー画像
【図１】
0005853749.tif 000002
【図２】
0005853749.tif 000003
【図３】
0005853749.tif 000004
【図４】
0005853749.tif 000005
【図５】
0005853749.tif 000006
【図６】
0005853749.tif 000007
【図７】
0005853749.tif 000008
【図８】
0005853749.tif 000009
【図９】
0005853749.tif 000010
【図１０】
0005853749.tif 000011
【図１１】
0005853749.tif 000012
【図１２】
0005853749.tif 000013
【図１３】
0005853749.tif 000014
【図１４】
0005853749.tif 000015
【図１５】
0005853749.tif 000016
【図１６】
0005853749.tif 000017
【図１７】
0005853749.tif 000018
【図１８】
0005853749.tif 000019